(57)【特許請求の範囲】
【請求項１】
壁の開口内に取り付けられる円筒形ベース（１１ｂ）とその内面に設けられた周方向の複数のバヨネット突起（１１ａ）とを有するバヨネットマウント（１１）と、前記バヨネット突起と着脱可能な連結アーム（１７ａ）を有するレジスター部（１７）とからなり、連結アームの着脱によりレジスター部をバヨネットマウントに着脱し、
前記レジスター部（１７）は、前記連結アームと軸方向の開口（２１ａ）を有する背面アダプター（２１）と、該背面アダプターの前面に取り外し可能に取り付けられたレジスターグリル（２２）と、背面アダプターとレジスターグリルの間に軸心を中心に回転可能に挟持されたレジスターリング（２３）とを備え、レジスターグリルとレジスターリングはそれぞれ互いに一致する開口（２２ａ，２３ａ）を有し、かつレジスターリングの外周部が外部から操作できるように外面に位置している、ことを特徴とする換気レジスター。
【請求項２】
前記背面アダプター（２１）とレジスターリング（２３）のいずれか一方に周方向に延びる円弧溝（２３ｂ）が設けられ、他方に該円弧溝にゆるく嵌まる突起部（２１ｂ）が設けられ、円弧溝の周方向長さは、前記開口（２２ａ，２３ａ）の調整範囲よりも大きく設定されている、ことを特徴とする請求項１に記載の換気レジスター。
【請求項３】
前記背面アダプター（２１）とレジスターリング（２３）の間に、着脱可能なブラインドリング（２４）が設けられ、該ブラインドリングは内部が直接見えずかつ空気の流通を阻害しないブライド板（２４ａ）を有する、ことを特徴とする請求項１に記載の換気レジスター。
【請求項４】
前記背面アダプター（２１）のマウント側端面に着脱可能なフィルター（２５）を有する、ことを特徴とする請求項１に記載の換気レジスター。
【発明の詳細な説明】
【０００１】
【発明の属する技術分野】
本発明は、壁を通して外気を室内に導入し或いは室内空気を排気するための給気孔構造に係わり、更に詳しくはその換気レジスターに関する。
【０００２】
【従来の技術】
近年、住宅の高気密化・高断熱化が進み、十分な換気を行わないと二酸化炭素濃度が高くなりすぎたり、特に新築住宅などではホルムアルデヒドや揮発有機化合物（ＶＯＣ：Vapor Organic Composition ）の濃度が高くなりすぎることがある。更に、不十分な換気により湿度が高くなってカビやダニが発生し、アレルギーを引き起こすこともある。
【０００３】
この問題を解決するために、本発明の発明者等は、先に「住宅用換気構造」を創案し出願した（特願平１０−８８３２９号、未公開）。以下、この換気構造を「２４時間換気システム」と呼ぶ。
【０００４】
この２４時間換気システムは、図６に示すように、気密性の保たれた住宅（例えばマンション）のほぼ中央部に設置され室内空気を外部に直接排気する中央排気装置１と、外気と接する外壁に設けられ外気と室内を連通する連通用給気孔２とを備える。中央排気装置１は、連通用給気孔２から室内を通って外部まで流れるエアサイクルを形成し、かつ騒音が十分低い低風量で連続運転するようになっている。従って、この構成により、低流量の２４時間換気により、給気孔からの外気が室内を通って外部まで流れるエアサイクルを形成し、騒音をほとんど発生させることなく、室内汚染物の濃度を低く抑えることができる。
【０００５】
【発明が解決しようとする課題】
図７は、従来の連通用給気孔２の構造図であり、（Ａ）は断面図、（Ｂ）は右側面図である。この図に示すように、従来の給気孔２は、外気と接する外壁３に埋め込まれた埋設スリーブ４（「コンクリート打ち込みスリーブ」と呼ばれる）、埋設スリーブ４の内面に挿入されたジョイントスリーブ５、埋設スリーブの外端部に取り付けられる換気ガラリ６、及びジョイントスリーブ５の内端部に取り付けられる換気レジスター７から構成される。
【０００６】
埋設スリーブ４は、通常、長さがほぼ外壁３の厚さに等しい塩化ビニール製の円筒管であり、外壁コンクリートの打ち込み時に埋設される。ジョイントスリーブ５は、接着剤等で埋設スリーブ４に固定され、換気レジスター７の取り付け面（室内壁面）までの隙間を塞ぐ機能を有する。また、換気ガラリ６はパッキンとコーキング材で埋設スリーブの内面に取り付けられ、雨水の侵入を防止しながら給気を導入する。更に、換気レジスター７は、通常、２組の換気扇の一方を揺動させて開口面積を変化させ給気流量を調節するようになっている。
【０００７】
しかし、上述した従来の給気孔構造、特に換気レジスター７には、以下の問題点があった。
（１）換気レジスター７の取付けが接着剤，パッキン，コーキング材等によるため、素人では取付け／取外しが困難であり、内部の点検や清掃ができない。すなわち、従来の換気レジスターは、ケーシングの外周部を接着剤等で直接壁に貼り付けているため、構造的にはシンプルで安価に製造できるが、取り外し時に壁紙等を損傷しやすく、かつ接着剤等を用いた再取付けも困難だった。
また、上記換気レジスターを大型化したものが、室内空気を排気するための換気吸込口として天井等に取り付けられている。しかし、この場合も換気レジスターに排気装置からのダクトを直接接着又はテーピングしているため、取付け／取外しが困難であり、素人では内部の点検や清掃ができなかった。
（２）図７に示した従来の換気レジスター７では、中央に突き出したつまみ７ａを指で回すことにより、２組の換気扇の一方を内部で揺動させて開口面積を変化させ給気流量を調節するようになっていた。しかし、つまみ７ａが室内側に突出しているため、家具等を設置する際につまみ７ａを家具等で破損したり、家具の影に隠れてつまみ７ａが操作しにくくなることが多かった。
（３）従来の換気レジスターは、開口部から内部が直接見える構造になっている。そのため、内部の断熱材が見えたり、内部の汚れや真っ黒になったフィルターが直接見え、インテリアを損なうことがあった。
（４）粉塵や花粉の侵入を防止するために、換気レジスターにフィルターを装着することが望まれる。しかし、従来の換気レジスター７にフィルターを取り付けると、給気流量の調節機構が複雑になったり、逆にフィルターの交換が困難になる。
【０００８】
本発明は、上述した種々の問題点を解決するために創案されたものである。すなわち、本発明の主目的は、素人でも簡単に取付け／取外しができ、容易に内部点検や清掃ができる換気レジスターを提供することにある。また、本発明の別の目的は、家具等で破損されやすい突起部がなく、かつ家具の影に隠れても操作しやすい換気レジスターを提供することにある。更に別の目的は、組み合わせにより、容易に内部が覗けなくでき、かつフィルターの装着・交換が容易にできる換気レジスターを提供することにある。
【０００９】
【課題を解決するための手段】
本発明によれば、壁の開口内に取り付けられる円筒形ベース（１１ｂ）とその内面に設けられた周方向の複数のバヨネット突起（１１ａ）とを有するバヨネットマウント（１１）と、前記バヨネット突起と着脱可能な連結アーム（１７ａ）を有するレジスター部（１７）とからなり、連結アームの着脱によりレジスター部をバヨネットマウントに着脱し、
前記レジスター部（１７）は、前記連結アームと軸方向の開口（２１ａ）を有する背面アダプター（２１）と、該背面アダプターの前面に取り外し可能に取り付けられたレジスターグリル（２２）と、背面アダプターとレジスターグリルの間に軸心を中心に回転可能に挟持されたレジスターリング（２３）とを備え、レジスターグリルとレジスターリングはそれぞれ互いに一致する開口（２２ａ，２３ａ）を有し、かつレジスターリングの外周部が外部から操作できるように外面に位置している、ことを特徴とする換気レジスターが提供される。
【００１０】
この構成により、バヨネットマウント（１１）を壁面に接着剤，パッキン，コーキング材等で固定したままで、レジスター部（１７）を少し捩じるだけでその着脱ができ、素人でも簡単に取付け／取外しができ、容易に内部点検や清掃ができる。
【００１２】
また、この構成により、従来のつまみ７ａのような突起部なしに、レジスターリングの外周部を周方向に移動して軸心を中心に回転させるだけで、レジスターグリルとレジスターリングの開口（２２ａ，２３ａ）が重なる開口面積を変化させ、給気流量を調節することができる。従って、突起部がないため家具等で破損されにくく、かつ家具の影に隠れてもその隙間から指を入れるたけでレジスターリングの外周部を操作しすることができる。
【００１３】
また、前記背面アダプター（２１）とレジスターリング（２３）のいずれか一方に周方向に延びる円弧溝（２３ｂ）が設けられ、他方に該円弧溝にゆるく嵌まる突起部（２１ｂ）が設けられ、円弧溝の周方向長さは、前記開口（２２ａ，２３ａ）の調整範囲よりも大きく設定されている。
この構成により、円弧溝（２３ｂ）の周方向長さの範囲でレジスターリング（２３）を回転させた場合には、レジスターリング（２３）のみが回転して、開口面積を調整することができ、それ以上に回転させた場合には、突起部（２１ｂ）が円弧溝（２３ｂ）の端に当たって背面アダプター（２１）が一体となって回転し、連結アーム（１７ａ）とバヨネット突起（１１ａ）との着脱ができる。
【００１４】
更に、前記背面アダプター（２１）とレジスターリング（２３）の間に、着脱可能なブラインドリング（２４）が設けられ、該ブラインドリングは内部が直接見えずかつ空気の流通を阻害しないブライド板（２４ａ）を有する、ことが好ましい。
かかるブライド板（２４ａ）を背面アダプター（２１）とレジスターリング（２３）の間に取付けることにより、空気の流通を確保したままで内部の汚れやフィルターを目隠しすることができ、インテリア性を高めることができる。
【００１５】
更に、前記背面アダプター（２１）のマウント側端面に着脱可能なフィルター（２５）を有することが好ましい。
この構成により、レジスター部（１７）を外して背面アダプター（２１）から容易にフィルターを交換できる。
【００１６】
【発明の実施の形態】
以下、本発明の好ましい実施形態を図面を参照して説明する。なお、各図において共通する部分には同一の符号を付し、重複した説明を省略する。
図１は、本発明の換気レジスターの第１実施形態を示す全体構成図であり、（Ａ）は断面図、（Ｂ）は左側面図である。この図において、本発明の換気レジスター１０は、壁８の開口部に接着剤，パッキン，コーキング材等で取付けられたバヨネットマウント１１と、このバヨネットマウント１１に着脱されるレジスター部１７とからなる。
【００１７】
図２は、図１の換気レジスターの分解図である。図１及び図２に示すように、バヨネットマウント１１は、壁８の開口内に取り付けられる円筒形ベース１１ｂと、その内面に設けられた周方向の複数（この例では２つ）のバヨネット突起１１ａとを有する。また、このバヨネットマウント１１は更にフランジ部１１ｃを有し、その背面が壁面に密着して取付られている。バヨネット突起１１ａは、この例では周方向に延びる長さ１０ｍｍ前後の小片であり、その室外側（図で右側）の表面が換気レジスター１０の軸線に直交する平面と、これに続くテーパ面で構成され、テーパ面と反対側の平面端部に室外側に延びるストッパ部が設けられている。
【００１８】
レジスター部１７は、バヨネットマウント１１のバヨネット突起１１ａと着脱可能な連結アーム１７ａを有する。この連結アーム１７ａは、バヨネットマウント１１の内側を室外側に延びる複数（この例では２つ）のアーム部とその先端に設けられた連結部とからなり、連結部の室外側が換気レジスター１０の軸線に直交する平面に形成され、バヨネット突起１１ａのテーパ面に沿ってレジスター部１７を回転することにより連結アーム１７ａをバヨネット突起１１ａの平面部まで移動することによりストッパ部に当たり、位置決めすることができる。
【００１９】
また、バヨネットマウント１１の室内側端面にはリング状のパッキン溝が設けられ、この溝内にパッキン１４ａが取り付けられている。この構成により、バヨネットマウント１１を壁面８に接着剤，パッキン，コーキング材等で固定した状態で、レジスター部１７を少し捩じる（回転する）だけで連結アーム１７ａとバヨネット突起１１ａと着脱でき、素人でも簡単にレジスター部１７の取付け／取外しができ、容易に内部点検や清掃ができる。また、パッキン１４ａにより、その間からの雨水等の侵入を防ぐことができる。
【００２０】
図２に示すように、レジスター部１７は、背面アダプター２１、レジスターグリル２２、及びレジスターリング２３からなる。
背面アダプター２１は、連結アーム１７ａと軸方向の開口２１ａを有する。開口２１ａは、空気の流通を妨げないように十分大きく設けられている。また、この背面アダプター２１は、円筒形部分２１ｃとフランジ部２１ｄを有し、円筒形部分２１ｃの外周面は、バヨネットマウント１１の内面にゆるく嵌まり、フランジ部２１ｄの背面（図２で右側）は、バヨネットマウント１１のフランジ部１１ｃの前面に密着するように構成されている。この構成により、バヨネットマウント１１の軸心と背面アダプター２１の軸心とを一致させた状態で、背面アダプター２１を軸心のまわりにスムースに回転させることができる。
【００２１】
レジスターグリル２２は、背面アダプター２１の前面（図２で左側）にネジ２７と雌ねじ孔２２ｂとの螺合により、取り外し可能に取り付けられる。また、レジスターリング２３は、背面アダプター２１とレジスターグリル２２の間に軸心を中心に回転可能に挟持される。
【００２２】
レジスターグリル２２とレジスターリング２３はそれぞれ互いに一致する開口２２ａ，２３ａを有する。この開口２２ａ，２３ａは、図１（Ｂ）に示すように、それぞれ扇形であり、その重複部分が空気が通過する開口となるようになっている。また、レジスターリング２３の外周部は、図１に示すように、外部から操作できるように外面に位置し、かつこの外周部には、指でリングを周方向に移動させやすいように凹凸が設けられている。従って、レジスターリング２３の外周部を周方向に移動して軸心を中心に回転させるだけで、レジスターグリル２２とレジスターリング２３の開口２２ａ，２３ａが重なる面積を変化させ、給気流量を調節することができる。
【００２３】
また、図１及び図２に示すように、背面アダプター２１とレジスターリング２３のいずれか一方（この例では、レジスターリング２３）に周方向に延びる円弧溝２３ｂが設けられ、他方（この例では背面アダプター２１）にこの円弧溝２３ｂにゆるく嵌まる突起部２１ｂが設けられている。この円弧溝２３ｂの周方向長さは、レジスターグリル２２とレジスターリング２３の開口２２ａ，２３ａの調整範囲（この例では約４５°）よりも大きく設定されている。
この構成により、円弧溝２３ｂの周方向長さの範囲（約４５°以内）でレジスターリング２３を回転させた場合には、レジスターリング２３のみが回転して、開口２２ａ，２３ａの重なり部分、すなわち開口面積を調整することができる。また、それ以上に回転させた場合には、突起部２１ｂが円弧溝２３ｂの端に当たって背面アダプター２１が一体となって回転し、連結アーム１７ａとバヨネット突起１１ａとの着脱ができる。
【００２４】
図１及び図２に示すように、背面アダプター２１とレジスターリング２３の間に、ほぼ円筒形の空間が設けられており、この部分にブラインドリング２４が送入できるようになっている。このブラインドリング２４は、この例では切頭円錐状の複数（この例では２枚）のブライド板２４ａを有し、開口２２ａ，２３ａを通して内部が直接見えずかつ空気の流通を阻害しないようになっている。また、このブラインドリング２４は、その中央穴（この例ではテーパ穴）が背面アダプター２１の中心部のテーパ面と嵌合して位置決めされ、レジスターリング２３とは接触しないようになっている。この構成により、ブライド板２４ａを背面アダプター２１とレジスターリング２３の間に取付けることにより、空気の流通を確保したままで内部の汚れやフィルターを目隠しすることができ、インテリア性を高めることができる。
【００２５】
更に、図１及び図２に示すように、背面アダプター２１のマウント側端面に着脱可能なフィルター２５を有する。このフィルター２５は、この例では、花粉フィルター２５ａと粉塵フィルター２５ｂとからなる。花粉フィルター２５ａは、開口寸法が１〜３μｍの帯電フィルターからなり花粉（通常１０〜１００μｍ）の侵入を防ぐようになっている。また、粉塵フィルター２５ｂは、開口寸法が約０．５ｍｍ前後のサランネットからなり、花粉よりは大きい粉塵の侵入を防ぐようになっている。更に、これらのフィルター２５ａ，２５ｂは、自然換気での通気ができるように低圧損に設定されている。この構成により、ガラリに付いている防虫用のフィルターと併せた３重構造のフィルターにより、低圧損で通気しながらかつ防虫、防塵および花粉の侵入を防ぐことができる。
また、フィルター２５ａ，２５ｂは、フィルターホルダ２６の前後に嵌め込まれ、このフィルターホルダ２６を背面アダプター２１のマウント側端面に着脱するようになっている。従って、この構成により、レジスター部１７を着脱して容易にフィルター２５ａ，２５ｂの交換ができる。
【００２６】
上述したバヨネットマウント１１、背面アダプター２１、レジスターグリル２２、及びレジスターリング２３は、それぞれ一体のＡＢＳ等の樹脂製であるのが好ましい。しかし、例えば、その一部又は全部を金属製としてもよい。
【００２７】
図３は、図１の換気レジスターの使用形態を示す断面図である。この例では、上述したブラインドリング２４とフィルター２５の両方がレジスター部１７に組み込まれている。この構成により、レジスターリング２３を円弧溝２３ｂの周方向長さの範囲（約４５°以内）以上に回転させて、レジスター部１７の全体を回転させることにより、連結アーム１７ａとバヨネット突起１１ａとの着脱を行い、容易に内部点検や清掃、及びフィルターの交換でできる。また、ブラインドリング２４が組み込まれていることから、内部を目隠しすることができ、かつフィルター２５が組み込まれていることから、粉塵や花粉の侵入を防ぐことができる。
【００２８】
図４は、図１の換気レジスターの別の使用形態を示す断面図である。この例では、上述したブラインドリング２４とフィルター２５の両方をレジスター部１７から外し、背面アダプター２１、レジスターグリル２２、及びレジスターリング２３のみでレジスター部１７を構成している。この構成では、全体を安価に製造することができる。また目隠しやフィルターの機能は有しないが、依然として、着脱が容易であり、内部点検や清掃が容易にできる。
【００２９】
図５は、本発明の換気レジスターの第２実施形態を示す断面図である。この図において、各部の断面のハッチングは簡潔化のため省略している。この換気レジスター１０は、レジスターグリル２２が中心軸２２ｃを有する。また、この中心軸２２ｃは半割れになっており、その先端（図で右端）に拡径部を有する。また、背面アダプター２１はレジスターグリル２２の中心軸２２ｃを通す中心穴２１ｃを有する。従って、中心穴２１ｃに中心軸２２ｃを縮めて挿入することにより、図１のネジ２７を使用せずに、レジスターグリル２２と背面アダプター２１を一体化することができる。その他の構成は、第１実施形態と同様である。
【００３０】
なお、本発明は上述した実施形態に限定されるものではなく、本発明の要旨を逸脱しない範囲で種々に変更できることは勿論である。例えば、上述した実施形態では、壁を通して外気を室内に導入するための換気レジスターについて主として説明したが、室内空気を排気するための換気レジスターにも同様に適用することができる。
【００３１】
【発明の効果】
上述したように、本発明の換気レジスターは、素人でも簡単に取付け／取外しができ、容易に内部点検や清掃ができ、かつ家具等で破損されやすい突起部がなく、家具の影に隠れても操作しやすく、更に、組み合わせにより、容易に内部が覗けなくでき、かつフィルターの装着・交換が容易にできる、等の優れた効果を有する。
【図面の簡単な説明】
【図１】本発明の換気レジスターの第１実施形態を示す全体構成図である。
【図２】図１の換気レジスターの分解図である。
【図３】図１の換気レジスターの使用形態を示す断面図である。
【図４】図１の換気レジスターの別の使用形態を示す断面図である。
【図５】本発明の換気レジスターの第２実施形態を示す断面図である。
【図６】２４時間換気システムの模式図である。
【図７】従来の連通用給気孔の構造図である。
【符号の説明】
１  中央排気装置
２  給気孔
３  外壁
４  埋設スリーブ（コンクリート打ち込みスリーブ）
５  ジョイントスリーブ
６  換気ガラリ
７  換気レジスター
７ａ  つまみ
８  壁
１０  換気レジスター
１１  バヨネットマウント
１１ａ  バヨネット突起
１１ｂ  ベース
１１ｃ  アダプタリング
１４ａ  パッキン
１７  レジスター部
１７ａ  連結アーム
２１  背面アダプター
２１ａ  開口
２１ｂ  突起部
２２  レジスターグリル
２２ａ  開口
２３  レジスターリング
２３ａ  開口
２３ｂ  円弧溝
２４  ブラインドリング
２４ａ  ブラインド板
２５  フィルター
【図１】
0004420361.tif 000002
【図２】
0004420361.tif 000003
【図３】
0004420361.tif 000004
【図４】
0004420361.tif 000005
【図５】
0004420361.tif 000006
【図６】
0004420361.tif 000007
【図７】
0004420361.tif 000008